(57)【要約】      （修正有）【課題】特に足や腕のつかれ、むくみ、筋肉の凝りなどに考慮し、使用して爽快感を得られる。【解決手段】機能性被服は、被服の人体に接する部分１０に、ゲルマニウム鉱石を練り込んだプリント１１と、プリントの近傍にネオジム磁石１２を有する。また、機能性被服は、被服の人体に接する部分１０に、ゲルマニウム鉱石を練り込んだ繊維を用い、ゲルマニウム鉱石を練り込んだ繊維の近傍にネオジム磁石を有する。【選択図】図１
2016108696.tif 000002
【特許請求の範囲】
【請求項１】
被服の人体に接する部分に、
ゲルマニウム鉱石を練り込んだプリントと、
前記プリントの近傍にネオジム磁石を有する、
ことを特徴とする機能性被服。
【請求項２】
被服の人体に接する部分に、
ゲルマニウム鉱石を練り込んだ繊維を用い、
前記ゲルマニウム鉱石を練り込んだ繊維の近傍にネオジム磁石を有する、
ことを特徴とする機能性被服。
【請求項３】
被服の人体に接する部分が、筋肉部分であることを特徴とする請求項１または請求項２に記載の機能性被服。
【請求項４】
前記被服が、レッグウォーマー、ネッグウォーマー、サポーター、リストバンド、腹巻、アームカバー、シャツ、パンツである請求項１乃至請求項３のいずれか１項に記載の機能性被服。
【発明の詳細な説明】
【技術分野】
【０００１】
この発明は、被服の人体に接する部分に使用して爽快感を得られる機能性被服に関する。
【背景技術】
【０００２】
一般に、被服は、生活動作や運動動作によって人体各部の寸法変化に対応し寸法上のゆとり量を設定しているが、現代社会生活では、被服の生活動作や運動動作に対応する機能の向上に止まらない。例えば、汗等の水分をスムーズに外部へ発散し、発汗による不快感や悪感をなくし、着心地性を改善するとともに体温の低下を抑え保温性及び防寒性を発揮する防寒被服セットが特許文献１に開示されている。
【先行技術文献】
【特許文献】
【０００３】
【特許文献１】特開平４−１８１０３号公報
【発明の概要】
【発明が解決しようとする課題】
【０００４】
このように、従来は、被服の生活動作や運動動作に対応する機能の向上、さらには汗等の水分をスムーズに外部へ発散し、発汗による不快感や悪感をなくし、着心地性を改善するものなどであり、特に足や腕のつかれ、むくみ、筋肉の凝りなどに考慮したものはなかった。
【０００５】
この発明は、以上のような従来の課題を考慮してなされたものであり、特に足や腕のつかれ、むくみ、筋肉の凝りなどに考慮し、使用して爽快感を得られる機能性被服を提供することを目的とする。
【課題を解決するための手段】
【０００６】
前記課題を解決し、かつ目的を達成するために、この発明は、以下のように構成した。
【０００７】
請求項１に記載の発明は、被服の人体に接する部分に、
ゲルマニウム鉱石を練り込んだプリントと、
前記プリントの近傍にネオジム磁石を有する、
ことを特徴とする機能性被服である。
【０００８】
請求項２に記載の発明は、被服の人体に接する部分に、
ゲルマニウム鉱石を練り込んだ繊維を用い、
前記ゲルマニウム鉱石を練り込んだ繊維の近傍にネオジム磁石を有する、
ことを特徴とする機能性被服である。
【０００９】
請求項３に記載の発明は、被服の人体に接する部分が、筋肉部分であることを特徴とする請求項１または請求項２に記載の機能性被服である。
【００１０】
請求項４に記載の発明は、前記被服が、レッグウォーマー、ネッグウォーマー、サポーター、リストバンド、腹巻、アームカバー、シャツ、パンツである請求項１乃至請求項３のいずれか１項に記載の機能性被服である。
【発明の効果】
【００１１】
請求項１乃至請求項４に記載の発明では、被服の人体に接する部分に、ゲルマニウム鉱石と、ネオジム磁石を有することで、ゲルマニウム鉱石に接し、またネオジム磁石の磁力が特に足や腕のつかれ、むくみ、筋肉の凝りなどに影響を与え、使用して爽快感を得られる。
【図面の簡単な説明】
【００１２】
【図１】第１の実施の形態の機能性被服の主要部を示す図である。
【図２】第２の実施の形態の機能性被服の主要部を示す図である。
【図３】レッグウォーマーに適用した図である。
【図４】レッグウォーマーの使用状態を示す図である。
【図５】他のレッグウォーマーに適用した図である。
【図６】ネッグウォーマーに適用した図である。
【図７】サポーターに適用した図である。
【図８】リストバンドに適用した図である。
【図９】腹巻に適用した図である。
【図１０】アームカバーに適用した図である。
【図１１】Ｔシャツに適用した図である。
【図１２】ショートパンツに適用した図である。
【図１３】ロングパンツに適用した図である。
【発明を実施するための形態】
【００１３】
以下、この発明の機能性被服の実施の形態について説明する。この発明の実施の形態は、発明の最も好ましい形態を示すものであり、この発明はこれに限定されない。
【００１４】
（第１の実施の形態）
この第１の実施の形態を、図１に基づいて説明する。図１は機能性被服の主要部を示す図である。この実施の形態の機能性被服は、被服の人体に接する部分１０に、高純度の天然のゲルマニウム鉱石を練り込んだプリント１１と、プリント１１の近傍に集中型のネオジム磁石１２を有する。この人体に接する部分１０が、例えばふくらはぎ部分であり、ふくらはぎの筋肉部分にゲルマニウム鉱石を練り込んだプリント１１とネオジム磁石１２が位置するようになっている。
【００１５】
ゲルマニウム鉱石を練り込んだプリント１１は、被服を制作した後に、例えばロゴマークをプリントするときに、プリント液にゲルマニウム鉱石を練り込んでプリントする。ネオジム磁石１２は、被服を制作した後に、貼り付け材１３により貼り付ける。
【００１６】
（第２の実施の形態）
この第２の実施の形態を、図２に基づいて説明する。図２は機能性被服の主要部を示す図である。この実施の形態の機能性被服は、被服の人体に接する部分１０に、高純度の天然のゲルマニウム鉱石を練り込んだ繊維２１を用い、ゲルマニウム鉱石を練り込んだ繊維２１の近傍に集中型のネオジム磁石２２を有する。ネオジム磁石２２は、被服を制作した後に、貼り付け材２３により貼り付ける。この人体に接する部分１０が、例えばふくらはぎ部分であり、ふくらはぎの筋肉部分にゲルマニウム鉱石を練り込んだ繊維２１とネオジム磁石２２が位置するようになっている。
【００１７】
［ゲルマニウム鉱石］
ゲルマニウム鉱石とは、ゲルマニウムの含有量が非常に多い鉱石であり、ゲルマニウムは地球の地殻に分布している元素に少量ずつ含まれ、希少価値の高い亜金属の半導体物質である。ゲルマニウムは少量のエネルギー（体温）で反応し、半導体であるゲルマニウムは３２℃以上になると電気を通す導体となり、電気を帯びた物質と結合する性質がある。人体には生体電流といわれるごく微弱な電流が流れており、末梢神経が多く集まる部分をゲルマニウムの成分で、生体電流をコントロールし発汗作用を促すことができる。例えば、血行がよくなり、疲労、老化原因を取り除き、細胞を活性化、若返えらせる。また、皮膚呼吸により、有機ゲルマニウムが全身に巡り、汗をかき、汗とともに体内の余分な脂肪、有害な毒素、老廃物が排泄され、血液が浄化されることによって血液が弱アルカリ性改善、さらに新陳代謝を高め、自薦治癒力が高まる。
【００１８】
［ネオジム磁石］
ネオジム磁石は、Ｎｄ（ネオジム／ネオジウム）・Ｆｅ（鉄）・Ｂ（ボロン）を主成分としており、強力な磁石であり、異方性フェライト磁石に比べ約８倍程度強力なエネルギー積を持っており、機械的強度も優れている。ネオジム磁石は、磁束密度が３５ｍＴ〜２００ｍＴの範囲となり、好ましくは２０ｍＴ〜１００ｍＴの範囲を用い、この磁束密度により肩こり腰痛改善などのために用いることができる。
【００１９】
このように、被服の人体に接する部分１０に、ゲルマニウム鉱石と、ネオジム磁石を有することで、ゲルマニウム鉱石に接し、またネオジム磁石の磁力が特に足や腕のつかれ、むくみ、筋肉の凝りなどに影響を与え、使用して爽快感を得られる。
【００２０】
［機能性被服］
この実施の形態の機能性被服は、図３乃至図１３の被服に適用される。図３及び図４のレッグウォーマーでは、適用エリア１０ａがふくらはぎ部分である。図３（ａ）はレッグウォーマーの正面図、図３（ｂ）はレッグウォーマーの背面図、図３（ｃ）はレッグウォーマーの右側面図、図３（ｄ）はレッグウォーマーの平面図、図３（ｅ）はレッグウォーマーの底面図である。図４はレッグウォーマーの使用状態を示す図である。
【００２１】
図５のレッグウォーマーでは、図３及び図４のレッグウォーマーと同様に適用エリア１０ａがふくらはぎ部分であるが、このレッグウォーマーは、足首から腿までの短いタイプである。
【００２２】
図６のネッグウォーマーでは、適用エリア１０ａがのどまわり部分である。図７のサポーターでは、適用エリア１０ａが足裏部分である。図８のリストバンドでは、適用エリア１０ａが手首部分である。図９の腹巻では、適用エリア１０ａが腰や腹部分である。図１０のアームカバーでは、適用エリア１０ａが肩部分である。図１１のＴシャツでは、適用エリア１０ａが背中や腰部分である。図１２のショートパンツでは、適用エリア１０ａが腰や臀部部分である。図１３のロングパンツでは、適用エリア１０ａが腰や臀部、ふくらはぎ部分である。
【産業上の利用可能性】
【００２３】
この発明は、被服の人体に接する部分に使用して爽快感を得られる機能性被服に適用され、特に足や腕のつかれ、むくみ、筋肉の凝りなどに考慮し、使用して爽快感を得られる。
【符号の説明】
【００２４】
１０  被服の人体に接する部分
１１  ゲルマニウム鉱石を練り込んだプリント
１２  ネオジム磁石
１３  貼り付け材
２１  ゲルマニウム鉱石を練り込んだ繊維
２２  ネオジム磁石
２３  貼り付け材
【図１】
2016108696.tif 000003
【図２】
2016108696.tif 000004
【図３】
2016108696.tif 000005
【図４】
2016108696.tif 000006
【図５】
2016108696.tif 000007
【図６】
2016108696.tif 000008
【図７】
2016108696.tif 000009
【図８】
2016108696.tif 000010
【図９】
2016108696.tif 000011
【図１０】
2016108696.tif 000012
【図１１】
2016108696.tif 000013
【図１２】
2016108696.tif 000014
【図１３】
2016108696.tif 000015